(57)【要約】【課題】車室内で使用される無線ヘッドホンの無駄な電力消費を確実に抑える。【解決手段】互いに関連付けられた映像及び音声を含むマルチメディアデータを再生して映像信号及び音声信号を出力する本体ユニット２と、本体ユニット２から出力された映像信号に基づいて映像を表示するリアモニタユニット３と、を有するナビゲーションシステム１は、本体ユニット２から出力された音声信号を無線送信する無線送信部３０２と、無線送信部３０２から無線送信された音声信号を受信して音声を出力するヘッドホン４とを備え、リアモニタユニット３の動作状態に応じて、ヘッドホン４の電源をオフに切り替える。【選択図】図３
2007336327.tif 000002
【特許請求の範囲】
【請求項１】
互いに関連付けられた映像及び音声を含むマルチメディアデータを再生して映像信号及び音声信号を出力する再生装置と、前記再生装置から出力された映像信号に基づいて映像を表示する後部座席用表示装置と、を有する車載データ再生システムにおいて、
前記再生装置から出力された音声信号を無線送信する無線送信部と、
前記無線送信部により無線送信された音声信号を受信して音声を出力する無線ヘッドホンと、を備え、
前記後部座席用表示装置の動作状態に応じて、前記無線ヘッドホンの電源をオフに切り替えること、
を特徴とする車載データ再生システム。
【請求項２】
前記後部座席用表示装置の動作状態に応じて、前記無線ヘッドホンの電源をオフに切り替える指示を前記無線送信部によって前記無線ヘッドホンに送信させるヘッドホン制御部を備え、
前記無線ヘッドホンは、前記無線送信部から送信された指示に応じて電源をオフに切り替えること、
を特徴とする請求項１記載の車載データ再生システム。
【請求項３】
前記再生装置は、音声を含む音声データを再生して音声信号を出力する機能を備え、
前記ヘッドホン制御部は、前記後部座席用表示装置の停止が指示された場合に、前記再生装置がマルチメディアデータを再生中であれば前記無線ヘッドホンに対して停止を指示し、前記再生装置が音声データを再生中であれば前記無線ヘッドホンに対する停止の指示を行わないこと、
を特徴とする請求項２記載の車載データ再生システム。
【請求項４】
前記ヘッドホン制御部は、前記再生装置が動作を停止する際に、前記無線ヘッドホンに対して停止を指示すること、
を特徴とする請求項１または２記載の車載データ再生システム。
【請求項５】
前記無線ヘッドホンは、前記無線送信部からの信号を受信しない状態が所定時間以上継続した場合に、電源をオフに切り替えること、
を特徴とする請求項１から４のいずれかに記載の車載データ再生システム。
【請求項６】
互いに関連付けられた映像及び音声を含むマルチメディアデータを再生して映像信号及び音声信号を出力する再生装置と、前記再生装置から出力された映像信号に基づいて映像を表示する後部座席用表示装置と、を有し、前記再生装置から出力された音声信号を無線送信する無線送信部と、前記無線送信部により無線送信された音声信号を受信して音声を出力する無線ヘッドホンと、を備えた車載データ再生システムの制御方法であって、
前記後部座席用表示装置の動作状態に応じて、前記無線ヘッドホンの電源をオフに切り替えること、
を特徴とする車載データ再生システムの制御方法。
【発明の詳細な説明】
【技術分野】
【０００１】
本発明は、車輌に搭載される車載データ再生システム、及び、車載データ再生システムの制御方法に関する。
【背景技術】
【０００２】
近年、車室の後部座席の人が音響や映像を楽しむことができるように、後部座席用にモニタを設けるとともに、後部座席用のヘッドホンを備えた車載データ再生システムが知られている（例えば、特許文献１参照）。この車載データ再生システムでは、運転者に視聴できないように、後部座席専用の映像と音声とを出力することができる。
【特許文献１】特開２００１−１１４０２７号公報
【発明の開示】
【発明が解決しようとする課題】
【０００３】
上記のような車載データ再生システムにおいて、後部座席用のヘッドホンとして、無線機能を備えた無線ヘッドホンを用いると、配線の煩わしさが解消され、より快適な使用感が期待できる。
ところで、無線ヘッドホンは外部からの電源供給を受けることができないので、内蔵する電源が無駄に消費されないように、こまめに電源を切る必要がある。例えば、車載データ再生システムでは、車輌のエンジンを停止させて降車する際に無線ヘッドホンの電源をオフにすることになる。
しかしながら、停車・駐車及び降車する毎に無線ヘッドホンの電源をオフにする操作は煩雑であり、かえって快適な使用感を損なう可能性があった。また、電源をオフにする操作を忘れた場合、前部座席に搭乗するユーザや運転者が後部座席に置かれた無線ヘッドホンの電源をオフにすることは難しい。このため、無駄な電力消費を確実に抑えることが困難であった。
【０００４】
そこで、本発明の目的は、上述した課題を鑑みてなされたものであり、車室内で使用される無線ヘッドホンの無駄な電力消費を確実に抑えることである。
【課題を解決するための手段】
【０００５】
上記課題を解決するため、本発明は、互いに関連付けられた映像及び音声を含むマルチメディアデータを再生して映像信号及び音声信号を出力する再生装置と、前記再生装置から出力された映像信号に基づいて映像を表示する後部座席用表示装置と、を有する車載データ再生システムにおいて、前記再生装置から出力された音声信号を無線送信する無線送信部と、前記無線送信部により無線送信された音声信号を受信して音声を出力する無線ヘッドホンと、を備え、前記後部座席用表示装置の動作状態に応じて、前記無線ヘッドホンの電源をオフに切り替えることを特徴とする車載データ再生システムを提供する。
本発明によれば、マルチメディアデータを再生する車載データ再生システムにおいて、後部座席用表示装置により映像を出力するとともに、無線ヘッドホンから音声を出力させる場合に、後部座席用表示装置の動作状態に応じて、無線ヘッドホンの電源がオフに切り替えられる。これにより、必要時以外に無線ヘッドホンの電源がオフにされ、無線ヘッドホンの無駄な電力消費を確実に抑えることができる。
【０００６】
本発明において、前記後部座席用表示装置の動作状態に応じて、前記無線ヘッドホンの電源をオフに切り替える指示を前記無線送信部によって前記無線ヘッドホンに送信させるヘッドホン制御部を備え、前記無線ヘッドホンは、前記無線送信部から送信された指示に応じて電源をオフに切り替える構成としてもよい。
この場合、無線ヘッドホンが、無線送信部から送信された指示に応じて電源をオフに切り替える機能を有するので、後部座席用表示装置の動作状態に応じて速やかに無線ヘッドホンの電源をオフにすることができる。
【０００７】
また、本発明において、前記再生装置は、音声を含む音声データを再生して音声信号を出力する機能を備え、前記ヘッドホン制御部は、前記後部座席用表示装置の停止が指示された場合に、前記再生装置がマルチメディアデータを再生中であれば前記無線ヘッドホンに対して停止を指示し、前記再生装置が音声データを再生中であれば前記無線ヘッドホンに対する停止の指示を行わないようにしてもよい。
この場合、再生装置が再生中のデータがマルチメディアデータか、音声データか対応して、無線ヘッドホンの電源を制御できる。例えば、マルチメディアデータは互いに関連付けられた映像及び音声を含むものであるから、後部座席用表示装置と無線ヘッドホンの両方を用いて視聴される。このため、マルチメディアデータの再生中に後部座席用表示装置の停止が指示された場合には、無線ヘッドホンの電源をオフに切り替えることが望ましい。一方、音声データの再生中には無線ヘッドホンのみを使って音楽を鑑賞できるから、後部座席用表示装置の停止が指示された後も無線ヘッドホンを使う可能性がある。従って、上記構成によれば、後部座席用表示装置の動作状態と、無線ヘッドホンの必要度とに基づいて無線ヘッドホンの電源を制御することで、ユーザの利便性を損なうことなく、無駄な電力消費を確実に抑えることができる。
【０００８】
また、本発明において、前記ヘッドホン制御部は、前記再生装置が動作を停止する際に、前記無線ヘッドホンに対して停止を指示するようにしてもよい。
この場合、再生装置の動作が停止するとともに無線ヘッドホンの電源がオフされる。これにより、必要時以外の無駄な電力消費を抑えることができる。
【０００９】
また、本発明において、前記無線ヘッドホンは、前記無線送信部からの信号を受信しない状態が所定時間以上継続した場合に、電源をオフに切り替えるものとしてもよい。
この場合、無線送信部からの音声信号を受信しない状態が所定時間以上継続した場合に無線ヘッドホンの電源がオフに切り替えられるので、無線ヘッドホンの無駄な消費電力を抑えることができる。
【００１０】
本発明は、互いに関連付けられた映像及び音声を含むマルチメディアデータを再生して映像信号及び音声信号を出力する再生装置と、前記再生装置から出力された映像信号に基づいて映像を表示する後部座席用表示装置と、を有し、前記再生装置から出力された音声信号を無線送信する無線送信部と、前記無線送信部により無線送信された音声信号を受信して音声を出力する無線ヘッドホンと、を備えた車載データ再生システムの制御方法であって、前記後部座席用表示装置の動作状態に応じて、前記無線ヘッドホンの電源をオフに切り替えることを特徴とする車載データ再生システムの制御方法を提供する。
【発明の効果】
【００１１】
本発明によれば、後部座席用表示装置の動作状態に応じて無線ヘッドホンの電源をオフすることにより、無線ヘッドホンの無駄な電力消費を確実に抑えることができる。
【発明を実施するための最良の形態】
【００１２】
以下、本発明の実施形態を、図面に基づいて説明する。
［第１の実施の形態］
図１は、本発明を適用した第１の実施の形態に係るナビゲーションシステム１の概略構成を示す図である。この図１に示すように、ナビゲーションシステム１は、車輌１０に搭載された本体ユニット２（再生装置）、リアモニタユニット３（後部座席用表示装置）、及びヘッドホン４（無線ヘッドホン）を備えて構成される。また、図１には図示しないが、ナビゲーションシステム１は、車輌１０の各所（例えば、フロントドア内張、ピラー等）に設置されたスピーカ２１４（図３）を備えている。
【００１３】
ナビゲーションシステム１の本体ユニット２は経路案内機能を具備しており、車輌１０の走行に伴って周辺の地図や自車位置を画面上に表示し、さらに、運転者が予め設定したルートを走行できるよう、音声と画面表示による経路案内を行う。
本体ユニット２は、この経路案内機能を実行するための各種操作を行うスイッチやタッチパネル等の入力操作部を備えているが、ここでは図示及び説明を省略する。
【００１４】
また、ナビゲーションシステム１の本体ユニット２は、ＤＶＤ、ＣＤ等の外部記録媒体を再生して、映像及び音声を出力する装置であり、車輌１０の前部座席に搭乗するユーザ（運転者を含む）から視認可能なように映像を表示する。さらに、本体ユニット２は、上記外部記録媒体を再生して、映像信号及び音声信号をリアモニタユニット３へ送出する機能を有する。ここで本体ユニット２からリアモニタユニット３に送出する映像信号及び音声信号は、本体ユニット２の画面及びスピーカから出力される映像及び音声とは無関係な、後部座席用の映像及び音声とすることができる。
図１に示すナビゲーションシステム１において、本体ユニット２及びリアモニタユニット３の各部に対しては、車輌１０のバッテリ（図示略）から電源が供給され、さらに、ＡＣＣ（アクセサリ）電源が供給される。ＡＣＣ電源は、車輌１０のエンジン動作中に供給される直流電源である。本体ユニット２及びリアモニタユニット３は、ＡＣＣ電源が供給されている状態で通常動作を行うよう構成されている。
【００１５】
リアモニタユニット３は、車輌１０の後部座席に搭乗するユーザから良好に視認できるよう、車室天井から吊り下げ設置されている。ここで、リアモニタユニット３は、前部座席の背面に埋込設置することも可能である。
ヘッドホン４は、車輌１０の後部座席に搭乗するユーザが使用するヘッドホンであり、後述するように、リアモニタユニット３から無線送信される音声信号を受信して音声を出力する無線ヘッドホンである。ヘッドホン４は、リアモニタユニット３により表示される映像と同期した音声を出力する。これにより、車輌１０の後部座席に搭乗するユーザは、本体ユニット２に表示される画面とは全く関係なく、後部座席用の映像及び音声を楽しむことができる。
【００１６】
図２は、リアモニタユニット３の構成を詳細に示す外観斜視図である。
図２に示すように、リアモニタユニット３は、車室天井に固定されたベース部３１と、このベース部３１に対してヒンジ部３２を介して開閉可能に連結された表示部３３とを備える。表示部３３の一面には表示パネル３４が配設され、表示部３３が閉じた状態では、表示パネル３４がベース部３１内に収容される。ここで、ベース部３１は、車室天井に貼付設置されるものとしてもよいし、天井の内張に埋設されてもよい。
ベース部３１には、リアモニタユニット３の起動／停止を指示する電源スイッチ３５と、表示部３３の開閉を指示する開閉スイッチ３６とが設けられる。
【００１７】
図３は、ナビゲーションシステム１の機能的構成を示すブロック図である。
本体ユニット２は、本体ユニット２の各部とともにナビゲーションシステム１全体を制御する制御部２０１と、制御部２０１により実行される各種プログラム、及び、これらプログラムに係るデータ等を記憶する記憶部２０２を備える。
また、本体ユニット２は、ＧＰＳ（Global Positioning System）アンテナにより受信した信号や車速パルス信号等に基づいて自車位置を検出する位置検出部２０４、位置検出部２０４により検出された自車位置に基づいて経路案内処理を行う経路案内処理部２０５、外部記録媒体２００に記録されたデータを読み出す外部記録媒体読取部２１０、外部記録媒体読取部２１０により読み出されたデータをデコードして映像情報及び音声情報を出力するデコーダ２１１、インタフェース部２０３を介して入力された音声情報を再生して音声信号を出食する再生部２１２、再生部２１２から出力された音声信号を増幅してスピーカ２１４から音声を出力させるアンプ２１３、デコーダ２１１によりデコードされた映像情報から映像信号を生成して表示パネル２２１を駆動する表示処理部２２０の各部を備える。このうち、経路案内処理部２０５、デコーダ２１１、再生部２１２、及び表示処理部２２０の各部は、制御部２０１とともにインタフェース部２０３に接続され、相互に各種情報を送受信可能とされている。
【００１８】
制御部２０１は、インタフェース部２０３を介して接続される各部を制御する機能を有する。具体的には、制御部２０１は、ユーザの操作に従って、経路案内処理部２０５によって経路案内を実行させ、或いは、外部記録媒体読取部２１０により外部記録媒体２００から読み取ったデータを、再生部２１２及び表示処理部２２０により再生させる。
また、制御部２０１は、リアモニタユニット３の動作状態に応じて、ヘッドホン４の電源をオフに切り替えさせるか否かを判別し、必要に応じて、ヘッドホン４の電源を切り替えさせるための制御情報を生成して、インタフェース部２０３からリアモニタユニット３へ出力する。
【００１９】
経路案内処理部２０５は、制御部２０１の制御に従って、位置検出部２０４により検出した車輌１０の位置（緯度、経度）に基づき、予め設定された走行ルートに従って経路案内動作を行う。経路案内動作の実行中、経路案内処理部２０５は、例えばインタフェース部２０３を介して接続された表示処理部２２０に地図や自車位置を表示するための映像情報を生成し、インタフェース部２０３を介して表示処理部２２０に出力して、表示パネル２２１に地図や自車位置を表示させる。
【００２０】
外部記録媒体２００としては、例えば、ＤＶＤ、ＣＤ、ＭＤ等の光学的・磁気的記録媒体、或いは、半導体記憶素子を用いた可搬型記録媒体や、ハードディスク等の記録媒体を内蔵し、記録媒体として使用可能に構成された携帯機器等が挙げられる。外部記録媒体２００には、マルチメディアデータ、及び、音声のみからなる音声データが記録される。ここで、マルチメディアデータとは、互いに関連付けられた映像及び音声を含み、その再生時には、映像及び音声が、同時に、或いは予め定められたタイミングで連動して、再生出力されるものをいう。なお、このマルチメディアデータ及び音声データには、その属性等に係る情報が付属していてもよい。付属する情報としては、制作者・著作者・アーティストを示す情報、タイトルを示す情報、マルチメディアデータや音声データのチャプタ・トラックに係る情報、著作権管理に用いる情報、データサイズや再生時間を示す情報等が挙げられる。
【００２１】
外部記録媒体読取部２１０は、上記の外部記録媒体２００に記録されたデータを読み出すため、ＤＶＤ、ＣＤ、ＭＤ等の光学的・磁気的記録媒体を駆動するドライブユニット、半導体記憶素子を用いた可搬型記録媒体にアクセスするためのスロット、或いは、記録媒体として使用可能に構成された携帯機器を接続するためのインタフェース等を備える。外部記録媒体読取部２１０は、外部記録媒体２００に記録されたデータを読み出して、デコーダ２１１に出力する。ここで外部記録媒体読取部２１０が読み出すデータは、上述したマルチメディアデータ、及び、音声データのいずれかである。
デコーダ２１１は、外部記録媒体読取部２１０から入力されるデータをデコードして映像情報及び音声情報を生成し、インタフェース部２０３を介して、映像情報を表示処理部２２０に出力するとともに、音声情報を再生部２１２に出力する。ここで、デコーダ２１１は、外部記録媒体読取部２１０により読み出されたデータが映像データを含まない場合、音声情報のみを出力する。
【００２２】
表示処理部２２０は、インタフェース部２０３を介して入力される映像情報に基づいて、ＲＧＢ信号やビデオコンポジット信号等の映像信号を生成し、この映像信号に基づいて表示パネル２２１に画像を表示させる。表示パネル２２１は、本体ユニット２の本体（図１）に配設された液晶表示パネル等からなり、車輌１０（図１）の前部座席に搭乗するユーザ（運転者を含む）に視認できるように各種画像を表示する。
また、表示処理部２２０は、インタフェース部２０３を介して入力された映像情報から生成した映像信号を、リアモニタユニット３に出力する。表示処理部２２０からリアモニタユニット３に出力される映像信号は、表示パネル２２１に表示される映像と同じ映像の信号であってもよいし、表示処理部２２０は、表示パネル２２１に表示される映像とは異なる映像の信号をリアモニタユニット３に出力することもできる。例えば、表示処理部２２０は、表示パネル２２１に経路案内用の地図を表示させ、リアモニタユニット３に対しては外部記録媒体２００に記録された映画の映像を出力することが可能である。
【００２３】
リアモニタユニット３は、本体ユニット２が備えるインタフェース部２０３に接続された制御部３０１と、ヘッドホン４に対して無線信号を送信する無線送信部３０２と、表示部３３（図２）を開閉させる開閉駆動部３０３とを備える。また、電源スイッチ３５、開閉スイッチ３６の各スイッチ及び表示パネル３４は、制御部３０１に接続される。開閉駆動部３０３は、ヒンジ部３２を中心として表示部３３を回動させるモータ（図示略）等を備え、制御部３０１の制御に従って、表示部３３をベース部３１に収容する閉動作、及び、ベース部３１内の表示部３３を開いて表示パネル３４を露出させる開動作を行う。
制御部３０１は、電源スイッチ３５の操作を検出し、リアモニタユニット３が電源オフの状態で電源スイッチ３５が操作された場合には、リアモニタユニット３の各部を初期化して動作可能な状態に移行させるとともに、開閉駆動部３０３により開動作を行わせる。一方、リアモニタユニット３の動作中に電源スイッチ３５が操作された場合には、開閉駆動部３０３に閉動作を行わせる。また、制御部３０１は、開閉スイッチ３６の操作に応じて、開閉駆動部３０３により開動作または閉動作を行わせる。
ここで、制御部３０１は、電源スイッチ３５及び開閉スイッチ３６の操作により、開閉駆動部３０３による開動作または閉動作を行った場合に、動作内容を示す情報を、インタフェース部２０３を介して制御部２０１に出力する。
さらに、制御部３０１は、制御部２０１からインタフェース部２０３を介して入力される制御情報に従って、後述するように、ヘッドホン４の電源をオフに切り替えさせるための制御信号を無線送信部３０２に出力する。
【００２４】
制御部３０１は、本体ユニット２が備える表示処理部２２０から映像信号が入力されると、この入力された映像信号をもとに表示パネル３４に画像を表示させる。
また、制御部３０１は、インタフェース部２０３を介してデコーダ２１１から出力された音声信号が入力された場合、この音声信号を無線送信部３０２に出力して、無線送信部３０２からヘッドホン４へ無線送信させる。
無線送信部３０２は、ヘッドホン４との間で所定の通信プロトコルを実行し、制御部３０１から入力される音声信号をヘッドホン４へ送信する。また、無線送信部３０２は、制御部３０１からヘッドホン４の電源をオフにする制御信号が出力された場合に、この制御信号をヘッドホン４へ無線送信する。
【００２５】
ヘッドホン４は、リアモニタユニット３から送信される無線信号を受信して音声信号を出力する受信処理部４０１と、受信処理部４０１から入力される音声信号を増幅してスピーカ４０３から音声を出力させるアンプ４０２と、受信処理部４０１を含むヘッドホン４の各部に電源を供給するバッテリ４０４と、電源スイッチ４０５とを備える。
受信処理部４０１は、リアモニタユニット３から送信された無線信号を受信し、この無線信号が音声信号を符号化した信号であった場合は、受信した無線信号を復号してアンプ４０２に音声信号を出力する。
また、受信処理部４０１は、リアモニタユニット３から送信された無線信号がヘッドホン４の電源オフを指示する制御信号であった場合、この指示に従って、ヘッドホン４の各部の動作を停止させ、ヘッドホン４の電源をオフに切り替える。
【００２６】
ヘッドホン４は、バッテリ４０４からの電源供給をオン／オフさせる電源スイッチ４０５を備え、この電源スイッチ４０５の操作によって電源をオン／オフすることが可能である。
【００２７】
このように、ナビゲーションシステム１は、本体ユニット２において外部記録媒体２００に記録された映像及び音声のデータを読み出して再生することにより、本体ユニット２に配設された表示パネル２２１に映像を表示しながら、スピーカ２１４から音声を出力する。
また、ナビゲーションシステム１は、本体ユニット２によって外部記録媒体２００から読み出した映像及び音声のデータを再生して、リアモニタユニット３の表示パネル３４に映像を表示しながら、ヘッドホン４によって音声を出力する。
ナビゲーションシステム１においては、映像を表示パネル３４に表示しながらヘッドホン４から音声を出力する動作と、表示パネル３４における映像表示を行わないでヘッドホン４から音声のみを出力する動作とを行うことができる。すなわち、外部記録媒体２００から読み出したデータが、映像と音声との両方のデータを含むマルチメディアデータであった場合には、映像と音声とを出力し、読み出したデータが映像のデータを含まない音声データであった場合には、音声のみを出力する。
【００２８】
そして、ナビゲーションシステム１は、リアモニタユニット３の動作状態に対応して、ヘッドホン４の電源をオフに切り替えるよう動作する。以下、この動作について図４を参照して説明する。
【００２９】
図４は、ナビゲーションシステム１の動作を示すフローチャートであり、特に、ヘッドホン４の電源をオフに切り替える動作を示す。この図４に示す動作の実行時、制御部２０１は、ヘッドホン制御部として機能する。
制御部２０１は、ナビゲーションシステム１が搭載された車輌１０の電源供給ライン（図示略）から供給されるＡＣＣ電源の電圧レベルを監視する（ステップＳ１１）。
ここで、ＡＣＣ電源がオフに切り替わったことを検出すると（ステップＳ１１；Ｙｅｓ）、制御部２０１は、ヘッドホン４の電源をオフに切り替えさせるための制御情報を生成し、インタフェース部２０３を介してリアモニタユニット３へ出力する。リアモニタユニット３の制御部３０１は、制御部２０１からの制御情報に従って、ヘッドホン４の電源をオフに切り替えさせる制御信号を生成し、無線送信部３０２によって、ヘッドホン４に対して無線送信する（ステップＳ１２）。
リアモニタユニット３から送信された制御信号を受信した受信処理部４０１は、ヘッドホン４の各部の動作を停止させる処理を行い、ヘッドホン４の電源をオフに切り替える（ステップＳ１３）。
【００３０】
一方、車輌１０のＡＣＣ電源がオンの状態で、制御部２０１は、リアモニタユニット３が有する電源スイッチ３５または開閉スイッチ３６の操作を監視する（ステップＳ１４）。ここで、電源スイッチ３５または開閉スイッチ３６が操作され、表示部３３が閉じられた場合には（ステップＳ１４；Ｙｅｓ）、制御部２０１はステップＳ１２に移行して、ヘッドホン４の電源をオフに切り替えさせる。
【００３１】
以上の動作により、ナビゲーションシステム１においては、リアモニタユニット３の動作状態に応じて、ヘッドホン４の電源がオフに切り替えられる。これにより、後部座席に搭乗するユーザがヘッドホン４の電源をオフにする操作を行わなくても、ヘッドホン４の電源が自動的にオフにされる。
すなわち、車輌１０のＡＣＣ電源がオフに切り替わり、本体ユニット２の動作が停止する場合には、リアモニタユニット３が停止され、映像の表示ができなくなる。また、電源スイッチ３５または開閉スイッチ３６の操作によって、リアモニタユニット３が表示部３３を閉じる閉動作を行った場合も、映像の表示ができなくなる。
従って、ナビゲーションシステム１は、ヘッドホン４の電源をオフに切り替えさせるので、後部座席のユーザが操作を行うことなくヘッドホン４の電源をオフにして、無駄な電力消費を、効率よく、かつ確実に抑えることができる。また、車輌１０が停車・駐車してＡＣＣ電源がオフになる毎に後部座席のユーザがヘッドホン４をオフにする必要がなく、利便性を大きく向上させることができる。
【００３２】
上記第１の実施の形態では、ナビゲーションシステム１が、ＡＣＣ電源のオフに伴うリアモニタユニット３の動作停止、及び、リアモニタユニット３における表示部３３の閉動作に伴って、ヘッドホン４の電源をオフにする例について説明したが、本発明はこれに限定されるものではなく、例えば、再生中のデータの種類に応じてヘッドホン４の電源をオフにすることも可能である。以下、この場合について、第２の実施の形態として説明する。
【００３３】
［第２の実施の形態］
図５は、本発明を適用した第２の実施の形態におけるナビゲーションシステム１の動作を示すフローチャートである。なお、本第２の実施の形態では、ナビゲーションシステム１の構成は上記第１の実施の形態と同様とし、その構成に係る図示及び説明は省略する。
制御部２０１は、ナビゲーションシステム１が搭載された車輌１０の電源供給ライン（図示略）から供給されるＡＣＣ電源の電圧レベルを監視する（ステップＳ２１）。
ここで、ＡＣＣ電源がオフに切り替わったことを検出すると（ステップＳ２１；Ｙｅｓ）、制御部２０１は、ヘッドホン４の電源をオフに切り替えさせるための制御情報を生成し、インタフェース部２０３を介してリアモニタユニット３へ出力する。リアモニタユニット３の制御部３０１は、制御部２０１からの制御情報に従って、ヘッドホン４の電源をオフに切り替えさせる制御信号を生成し、無線送信部３０２によって、ヘッドホン４に対して無線送信する（ステップＳ２２）。
リアモニタユニット３から送信された制御信号を受信した受信処理部４０１は、ヘッドホン４の各部の動作を停止させる処理を行い、ヘッドホン４の電源をオフに切り替える（ステップＳ２３）。
【００３４】
一方、車輌１０のＡＣＣ電源がオンの状態で、制御部２０１は、リアモニタユニット３が有する電源スイッチ３５または開閉スイッチ３６の操作を監視する（ステップＳ２４）。
ここで、電源スイッチ３５または開閉スイッチ３６が操作され、表示部３３が閉じられた場合（ステップＳ２４；Ｙｅｓ）、制御部２０１は、リアモニタユニット３において再生されているデータの種別を判別する（ステップＳ２５）。
そして、外部記録媒体読取部２１０によって映像を含まない音声データが読み取られ、この音声データの音声がリアモニタユニット３及びヘッドホン４によって再生されている場合（ステップＳ２５；Ｙｅｓ）、制御部２０１は、そのまま動作を継続する。
一方、外部記録媒体読取部２１０によってマルチメディアデータが読み取られ、このマルチメディアデータの映像がリアモニタユニット３の表示パネル３４によって再生されている場合（ステップＳ２４；Ｎｏ）、制御部２０１はステップＳ２２に移行して、ヘッドホン４の電源をオフに切り替えさせる。
【００３５】
以上の動作により、ナビゲーションシステム１においては、リアモニタユニット３の動作状態と、再生中のデータの種類に応じて、ヘッドホン４の電源がオフに切り替えられる。すなわち、マルチメディアデータが再生されていて、リアモニタユニット３及びヘッドホン４によって、映像及び音声を出力中であれば、表示部３３の閉動作に伴ってヘッドホン４の電源をオフに切り替えさせる。その一方で、音声データの再生中は、リアモニタユニット３によって映像が再生されていないので、表示部３３が閉動作しても、ヘッドホン４による音声の再生を継続できるようにする。これにより、ヘッドホン４の必要性をより詳細に判別し、ヘッドホン４が必要な場合にヘッドホン４の電源をオフにしてしまうといった誤動作がなくなる。従って、より一層の利便性の向上を図ることが可能となり、無駄な電力消費を、効率よく、かつ確実に抑えることができる。
【００３６】
なお、上記第１及び第２の実施の形態では、制御部２０１の制御に従って、無線送信部３０２からヘッドホン４に対して電源をオフに切り替える旨の制御信号が送信され、この制御信号に従ってヘッドホン４が電源をオフに切り替えるものとして説明したが、本発明はこれに限定されるものではなく、例えば、制御部３０１が、表示部３３の閉動作時に制御信号を生成して、無線送信部３０２によってヘッドホン４へ制御信号を送信させるものとしてもよいし、制御部２０１と制御部３０１とが協働して、ヘッドホン４の電源をオフにするか否かの判別を行い、無線送信部３０２によってヘッドホン４へ制御信号を送信させるようにしてもよい。
【００３７】
また、上記第１及び第２の実施の形態では、ナビゲーションシステム１がリアモニタユニット３の閉動作時にヘッドホン４の電源をオフに切り替える例について説明したが、本発明はこれに限定されるものではなく、例えば、リアモニタユニット３からヘッドホン４に対する無線信号の送信状態をもとに、ヘッドホン４の電源を制御することも可能である。以下、この場合について、第３の実施の形態として説明する。
【００３８】
［第３の実施の形態］
図６は、本発明を適用した第３の実施の形態におけるナビゲーションシステム１の動作を示すフローチャートである。なお、本第３の実施の形態では、ナビゲーションシステム１の構成は上記第１の実施の形態と同様とし、その構成に係る図示及び説明は省略する。
上述したように、ヘッドホン４が備える受信処理部４０１は、リアモニタユニット３から無線送信される音声信号を受信して、スピーカ４０３から音声を再生出力する動作を実行する。この通常動作の実行中（ステップＳ３１）、受信処理部４０１は、リアモニタユニット３からの無線信号の送信が途絶した時間を監視する（ステップＳ３２）。ここで通信の途絶とは、音声信号及び制御信号を含むリアモニタユニット３からの無線信号が受信されない状態を含み、通信異常のみを含むものではない。つまり、受信処理部４０１は、リアモニタユニット３から送信される無線信号の内容に関わらず、リアモニタユニット３からの無線信号を受信していない時間を監視する。
そして、所定時間以上の途絶が生じた場合には（ステップＳ３２；Ｙｅｓ）、バッテリ４０４からヘッドホン４の各部に対する電源供給を停止させて、ヘッドホン４の電源をオフにする。
【００３９】
この場合、ナビゲーションシステム１においては、リアモニタユニット３からヘッドホン４に無線送信される信号が所定時間以上途絶えると、ヘッドホン４の電源がオフに切り替えられる。このため、リアモニタユニット３から本体ユニット２に対して電源スイッチ３５及び開閉スイッチ３６の操作状態を送信し、或いは、リアモニタユニット３からヘッドホン４へ電源をオフにする制御信号を送信することなく、ヘッドホン４の電源がオフに切り替えられる。これにより、無駄な電力消費を、効率よく、かつ確実に抑えることができる。
【００４０】
なお、上記第１から第３の実施の形態では、本体ユニット２により、外部記録媒体読取部２１０によって読み取ったデータを再生して映像信号及び音声信号を出力する例について説明したが、本発明はこれに限定されるものではなく、例えば、デジタル放送の放送波を受信して、受信したデータを再生することにより映像信号及び音声信号を出力するものとしてもよいし、他の装置から送信されたデータを再生するものとしてもよい。
【図面の簡単な説明】
【００４１】
【図１】第１の実施の形態に係るナビゲーションシステムの概略構成を示す図である。
【図２】リアモニタユニットの構成を示す外観斜視図である。
【図３】ナビゲーションシステムの機能的構成を示すブロック図である。
【図４】ナビゲーションシステムの動作を示すフローチャートである。
【図５】第２の実施の形態に係るナビゲーションシステムの動作を示すフローチャートである。
【図６】第３の実施の形態に係るナビゲーションシステムの動作を示すフローチャートである。
【符号の説明】
【００４２】
１  ナビゲーションシステム（車載データ再生システム）
２  本体ユニット（再生装置）
３  リアモニタユニット（後部座席用表示装置）
４  ヘッドホン（無線ヘッドホン）
３１  ベース部
３２  ヒンジ部
３３  表示部
３４  表示パネル
３５  電源スイッチ
３６  開閉スイッチ
２００  外部記録媒体
２０１  制御部（ヘッドホン制御部）
２１１  デコーダ
２１２  再生部
２１３  アンプ
２１４  スピーカ
２２０  表示処理部
２２１  表示パネル
３０１  制御部
３０２  無線送信部
３０３  開閉駆動部
４０１  受信処理部
４０２  アンプ
４０３  スピーカ
４０４  バッテリ
４０５  電源スイッチ
【図１】
2007336327.tif 000003
【図２】
2007336327.tif 000004
【図３】
2007336327.tif 000005
【図４】
2007336327.tif 000006
【図５】
2007336327.tif 000007
【図６】
2007336327.tif 000008